(57)【特許請求の範囲】
【請求項１】
電源と、前記電源の電圧を分圧し便座のたわみにより接点をＯＮするスイッチと、スイッチの接点がＯＮであるか否かを判定する判定手段とを備え、前記判定手段は、入力された電圧が所定の電圧範囲である場合に限り前記スイッチがＯＮであると判定する構成とした衛生洗浄装置。
【請求項２】
電源と、前記電源の電圧を分圧するスイッチと、スイッチがＯＮであるか否かを判定する判定手段とを備え、スイッチ回路を所定の周期で断続させることにより、前記判定手段に入力される電圧が、前記周期に同期して所定の電圧範囲とそれ以外の電圧を交互に繰り返す場合に限り、前記判定手段は前記スイッチがＯＮであると判定する構成とした衛生洗浄装置。
【発明の詳細な説明】
【０００１】
【発明の属する技術分野】
本発明は衛生洗浄装置に関するもので、特に便座への着座を検出するスイッチのＯＮの判定に関するものである。
【０００２】
【従来の技術】
衛生洗浄装置には、人体検知機能が備えられており、便座に人が着座しているとき以外には、洗浄水を放出しないようにしている。こうすることで、例えば掃除のときに誤って洗浄を開始するボタンに触れても、人体や衣服に水がかかることもないし、幼児のいたずらで洗浄水が放出されて床を濡らすことも防ぐことができる。この人体検知は、人体が便座に着座したときの便座のたわみをスイッチで検出することで行っている。
【０００３】
以下、従来の衛生洗浄装置を図２から図３に基づいて説明する。図２は従来の衛生洗浄装置の外観図で、９は衛生洗浄装置本体、１０は便器、１１は便器１０上に設置された便座である。
【０００４】
図３は、従来の衛生洗浄装置の制御装置の部分回路図である。人体検知は、便座１１に人が着座したときの便座１１のたわみにより、スイッチ２がＯＮし、この信号を制御手段５に伝えることで行なっている。１は電源、３は抵抗、４はスイッチ２のＯＮ／ＯＦＦを判定する判定手段である。スイッチ２がＯＮのときは、判定手段４の入力４ａがＬｏになり、このとき判定手段４はスイッチ２がＯＮと判断し、その情報を４ｃから５ｃの経路で制御手段５に伝える。スイッチ２がＯＦＦのときは判定手段４の入力４ａには、プルアップ抵抗３によりＨｉが入力される。このとき判定手段４はスイッチ２がＯＦＦと判断する。
【０００５】
操作装置６の操作で洗浄を開始するようにしたときは、制御手段５は、判定手段４からの信号により、スイッチ２がＯＮであれば人体を検知しているので洗浄水を放出するため洗浄装置７を動作させるが、スイッチ２がＯＦＦであれば人体無しであるので、洗浄装置７を停止させて洗浄水を放出しないようにする。
【０００６】
温水洗浄装置９が使用されるトイレの使用環境を考えると、水際で使用されることから、結露が発生しやすい。スイッチ２が結露すると、スイッチ２の接点間に抵抗が発生し、これによりスイッチ２がＯＦＦしていても入力４ａがＬｏとなってスイッチ２がＯＮと誤判定してしまう。この問題を防ぐためにスイッチ２は、防水型を使用し、外部との空気の流通を遮断して、結露を防ぐようにしている。
【０００７】
【発明が解決しようとする課題】
しかしながら上記のような従来の構成では、結露対策のため防水型のスイッチを使用しなければならず、スイッチのコストが高くなるという課題があった。また、スイッチ信号回路の故障があっても、検出することができないという課題があった。
【０００８】
【課題を解決するための手段】
本発明の衛生洗浄装置は、上記従来の課題を解決するために、電源と、前記電源の電圧を分圧し便座のたわみによりＯＮするスイッチと、スイッチがＯＮであるか否かを判定する判定手段とを備え、前記判定手段は、入力された電圧が所定の電圧範囲である場合に限り前記スイッチがＯＮであると判定する構成としたものである。
【０００９】
上記発明によれば、前記スイッチが結露した場合に、前記判定手段に入力される電圧ではスイッチＯＮと判定しないようにできるので、防水型のスイッチを使用しなくてもよい。
【００１０】
【発明の実施の形態】
本発明は、電源と、前記電源の電圧を分圧し便座のたわみにより接点をＯＮするスイッチと、スイッチの接点がＯＮであるか否かを判定する判定手段とを備え、前記判定手段は、入力された電圧が所定の電圧範囲である場合に限り前記スイッチがＯＮであると判定する構成としたものであり、上記発明によれば、前記スイッチが結露した場合に、前記判定手段に入力される電圧ではスイッチＯＮと判定しないようにできるので、前記スイッチに防水性を必要としないものである。
【００１１】
また、電源と、前記電源の電圧を分圧するスイッチと、スイッチがＯＮであるか否かを判定する判定手段とを備え、スイッチ回路を所定の周期で断続させることにより、前記判定手段に入力される電圧が、前記周期に同期して所定の電圧範囲とそれ以外の電圧を交互に繰り返す場合に限り、前記判定手段は前記スイッチがＯＮであると判定する構成としたものであり、スイッチ信号回路の故障を検出する事ができるものである。
【００１２】
（実施例）
以下本発明の実施例について、図面を用いて説明する。
【００１３】
図２は従来例のもので、衛生洗浄装置の外観図である。９は衛生洗浄装置本体、１０は便器、１１は便器１０上に設置された便座である。
【００１４】
図１は同装置の制御装置の部分回路図である。人体検知は、便座１１に人が着座したときの便座１１のたわみにより、スイッチ２がＯＮし、この信号を制御手段５に伝えることで行なっている。１は電源、３は抵抗、４はスイッチ２のＯＮ／ＯＦＦを判定する判定手段である。８はトランジスタで、判定手段４の出力４ｂにより制御されるもので、４ｂがＨｉを出力するとトランジスタ８がＯＮし、４ｂがＬｏを出力するとトランジスタ８がＯＦＦする。判定手段４は、頻繁に出力４ｂをＯＮ／ＯＦＦさせている。
【００１５】
スイッチ２がＯＮのときに、トランジスタ８がＯＮであれば、判定手段４の入力４ａには、電源１を抵抗３と、スイッチ２の接触抵抗とで分圧された電圧ａが入力される。入力４ａは、ＡＤ変換機能を内蔵しており、入力されたアナログ電圧を内部でデジタル値に変換することができる。
【００１６】
トランジスタ８がＯＦＦであれば、判定手段４の入力４ａには、スイッチ２のＯＮ／ＯＦＦに関係なしに、プルアップ抵抗である抵抗３を通して電源１の＋に接続されるので、電源１の電圧である電圧ｄが入力される。
【００１７】
スイッチ２がＯＦＦであれば、判定手段４の入力４ａには、トランジスタ８のＯＮ／ＯＦＦに関係なしに、プルアップ抵抗である抵抗３を通して電源１の＋に接続されるので、電圧ｄが入力される。
【００１８】
スイッチ１がＯＦＦであっても結露によりスイッチ１の接点間の抵抗が発生した場合は、トランジスタ８がＯＮのときのみ判定手段４の入力４ａには、電源１を抵抗３と、スイッチ２の接点間抵抗とで分圧された電圧ｂが入力される。
【００１９】
スイッチ２の接触抵抗は、スイッチ２の結露時の接点間抵抗よりはるかに小さいので、電圧ａは電圧ｂよりも小さくなる。
【００２０】
そこで、判定手段４の入力４ａに入力される電圧は、閾値として、電圧ａより大きくて、電圧ｂより小さい値の電圧ｃを設定し、電圧ｃ以上の電圧が入力されたときは、スイッチ２がＯＦＦと判断する。
【００２１】
判定手段４は、頻繁にトランジスタ８をＯＮ／ＯＦＦさせているので、スイッチ２がＯＮしていてもトランジスタ８がＯＦＦの時には、４ａには電圧ｄが発生するのが普通である。ところが、判定手段４の入力４ａに接続されている回路パターンが、電源１の−にショートする故障が発生した場合や、組立ミスで抵抗３の片側端子が電源１の＋側へ接続されずに−側へ接続されてしまった場合には、トランジスタ８のＯＮ／ＯＦＦに無関係に、入力４ａには、電圧ｃ以下が入力される。判定手段４は、この時にはスイッチ２をＯＮと判定しないようになっている。
【００２２】
従って判定手段４は、入力４ａに、トランジスタ８がＯＮのときに電圧ｃ以下が入力され、かつトランジスタ８がＯＦＦとき電圧ｃ以上が入力された場合のみスイッチ２がＯＮと判定する。
【００２３】
このとき判定手段４は、スイッチ２のＯＮ／ＯＦＦ情報を４ｃから５ｃの経路で制御手段５に伝える。
【００２４】
操作装置６の操作で洗浄を開始するようにしたときは、制御手段５は、判定手段４からの信号により、スイッチ２がＯＮであれば人体を検知しているので洗浄水を放出するため洗浄装置７を動作させるが、スイッチ２がＯＦＦであれば人体無しであるので、洗浄装置７を停止させて洗浄水を放出しないようにする。
【００２５】
【発明の効果】
以上のように、本発明の衛生洗浄装置は、人体検知を行うため人体が便座に着座したのを検出するスイッチに、結露によりスイッチ接点間に抵抗が発生しても、スイッチＯＮを検出しないようにしているので、防水型のスイッチを使う必要が無く、安価なスイッチを使うことができる。
【００２６】
また、スイッチ回路を所定の周期で断続させるので、スイッチＯＮ時にもスイッチＯＮとＯＦＦの信号が交互に繰り返され、この場合のみスイッチＯＮと判定するので、スイッチ入力・検出回路が故障して、スイッチがＯＮしていなくてもＯＮの信号が続いた場合に、スイッチＯＦＦと判定する自己診断機能が実現できるので、スイッチＯＮ／ＯＦＦ検出の信頼性がさらに向上する。
【図面の簡単な説明】
【図１】  本発明の一実施例における衛生洗浄装置の部分回路図
【図２】  従来の衛生洗浄装置の外観図
【図３】  従来の衛生洗浄装置の制御装置の部分回路図
【符号の説明】
１  電源
２  スイッチ
３  抵抗
４  判定手段
【図１】
0003855314.tif 000002
【図２】
0003855314.tif 000003
【図３】
0003855314.tif 000004